(57)【要約】【課題】カウンター等取付基体の裏面側に配した馬蹄形の挟持具を、取付ボルトにより上向きに締め上げて、水栓本体を取付基体上に取付固定する水栓の取付構造において、水栓に回転方向の力が加わった場合にも水栓本体が取付基体に対し回転移動しないようにする。【解決手段】取付基体の裏面側に配した挟持具４２を取付ボルト４８により上向きに締め上げて、取付基体を裏面側から挟み込む状態に水栓本体１２を取付基体上に取付固定する水栓１０の取付構造において、水栓本体１２に給水，給湯を行うサプライ管２８との接続部とは別の個所から水栓本体１２より取付穴を挿通して一対の芯出棒６２を下向きに突出させ、それら芯出棒６２を挟持具４２の内側面の直近に位置させて、挟持具４２の内側面に対する当接作用により水栓本体１２と挟持具４２とを回転方向に一体的に連繋する。【選択図】        図３
2004308213.tif 000002
【特許請求の範囲】
【請求項１】
カウンター等取付基体の裏面側に配した部分環状の挟持具を、取付ボルトにより上向きに締め上げて該挟持具により該取付基体を裏面側から挟み込む状態に水栓本体を該取付基体上に取付固定するようになした水栓の取付構造において、
前記水栓本体に給水，給湯を行うサプライ管との接続部とは別の個所から該水栓本体より前記取付基体の取付穴を挿通して突出部を下向きに突出させ、該突出部を前記挟持具の内側面の直近に位置させて、該突出部と該挟持具の内側面との当接により該水栓本体と挟持具とを回転方向に一体的に連繋したことを特徴とする水栓の取付構造。
【請求項２】
請求項１において、前記突出部が前記取付穴の内側面の直近且つ周方向に隔たった少なくとも２箇所を通過するように下向きに突き出しており、該突出部が該取付穴に対する前記水栓本体の位置合わせ機能を有していることを特徴とする水栓の取付構造。
【請求項３】
請求項１，２の何れかにおいて、前記突出部が複数の棒状部から成っていて、該棒状部が周方向の異なった位置において前記水栓本体から突き出しており、何れかの棒状部と他の何れかの棒状部とが、前記挟持具の内側面に対して互いに反対の回転方向においてそれぞれ当接するようになしてあることを特徴とする水栓の取付構造。
【請求項４】
請求項３において、前記棒状部が前記水栓本体とは別体をなしていて上端部にねじ部が設けてあり、該ねじ部において該水栓本体に上向きにねじ込み固定してあることを特徴とする水栓の取付構造。
【請求項５】
請求項１〜４の何れかにおいて、前記挟持具が馬蹄形をなしていて、前記水栓本体から且つ前記突出部に対し周方向の異なった位置から下向きに突き出した前記取付ボルトにて水栓本体と締結されるようになしてあることを特徴とする水栓の取付構造。
【請求項６】
請求項５において、前記取付ボルトが前記棒状部に対して周方向の異なった位置から且つ前記取付穴の内側面の直近位置を通って前記水栓本体より突き出しており、該取付ボルトが、前記複数の棒状部からなる突出部と協働して該水栓本体を前記取付穴に位置合わせする位置合わせ機能を有していることを特徴とする水栓の取付構造。
【請求項７】
カウンター等取付基体の裏面側に配した部分環状の挟持具を取付ボルトにより上向きに締め上げて、該挟持具により該取付基体を裏面側から挟み込む状態に水栓本体を該取付基体の上面に取付固定する水栓の取付方法において、
前記水栓本体に給水，給湯を行うサプライ管との接続部とは別の個所から該水栓本体より前記取付基体の取付穴を挿通して突出部を下向きに突出させ、該突出部を前記挟持具の内側面の直近に位置させて、該突出部と挟持具の内側面との当接に基づいて該水栓本体と挟持具とを回転方向に一体的に連繋し、該水栓本体を該挟持具に対し回止めすることを特徴とする水栓の取付方法。
【発明の詳細な説明】
【０００１】
【発明の属する技術分野】
この発明はカウンター等取付基体への水栓の取付構造及び取付方法に関し、詳しくは取付基体の裏面側に配した挟持具で、取付基体を裏面側から挟持して取付けを行う水栓の取付構造及び取付方法に関する。
【０００２】
【従来の技術及び発明が解決しようとする課題】
従来より、カウンター等取付基体の裏面側に部分環状の挟持具を配して、これを取付ボルトにより上向きに締め上げ、かかる挟持具により取付基体を裏面側から挟み込む状態に、水栓本体を取付基体の上面に取付固定することが行われている。
図８はその具体例を示している。
図において２００は水栓で、２０２は水栓本体、２０４は水栓本体２０２から延び出した吐水管である。
【０００３】
２０６は水栓本体２０２に水，湯を供給するサプライ管で、可撓性のホース２０８と金属管（銅管）２１０とから成っており、その金属管２１０の上端部において水栓本体２０２に水密に接続されている。
２１２は馬蹄形をなす挟持具で、水栓本体２０２から下向きに延び出した取付ボルト２１４が、この挟持具２１２を貫通して下向きに突き出しており、そこにナット２１６が螺合されている。
【０００４】
この水栓の取付構造では、挟持具２１２をカウンター等の取付基体の裏面側に配し、そしてサプライ管２０６を挟持具２１２の凹所２１８に通した状態で、ナット２１６を回転操作して挟持具２１２を取付ボルト２１４により上向きに締め上げることで、挟持具２１２と水栓本体２０２とが取付基体を表裏両側から挟持する状態に水栓２００を取付基体上に取り付ける。
【０００５】
しかしながらこの水栓の取付構造の場合、水栓本体２０２の回転方向の固定力が十分でなく、吐水管２０４や水栓本体２０２上部のレバーハンドル等に回転方向の力が加わったとき、水栓本体２０２が取付ボルト２１４回りに回転し易い問題があった。
【０００６】
下記特許文献１には、この問題を解決することを目的とした水栓の取付構造が開示されている。
図９はその具体例を示している。
図示のようにこの水栓の取付構造では、水栓本体２０２から接続部２２０を下向きに突出させて、その接続部２２０を、馬蹄形をなす挟持具２１２の内側面に当接させるようにし、その当接作用によって、挟持具２１２に対する水栓本体２０２の相対回転を規制するようになしている。
【０００７】
この接続部２２０の下面には接続ポート２２２が設けられており、そこに金属管からなるサプライ管２０６の上端部が接続されるようになっている。
尚図中２２４は、水栓本体２０２の上部に設けられたレバーハンドルである。
【０００８】
この水栓の取付構造にあっては、水栓本体２０２と馬蹄形をなす挟持具２１２とが回転方向に一体的に連繋しており、これにより水栓本体２０２の取付基体２２６に対する回転方向の固定力が高くなって、水栓本体２０２の回転移動を効果的に抑制できるものの、水栓本体２０２に対して回転力が加わったとき、その力が直接接続部２２０、つまりサプライ管２０６の上端部の接続箇所に作用することとなってサプライ管２０６に負荷がかかり、当初の良好な接続状態が損われる恐れのある問題がある。
【０００９】
【特許文献１】
特開平８−２４６５２２号公報
【００１０】
【課題を解決するための手段】
本発明の水栓の取付構造及び取付方法はこのような課題を解決するために案出されたものである。
而して請求項１は水栓の取付構造に関するもので、カウンター等取付基体の裏面側に配した部分環状の挟持具を、取付ボルトにより上向きに締め上げて該挟持具により該取付基体を裏面側から挟み込む状態に水栓本体を該取付基体上に取付固定するようになした水栓の取付構造において、前記水栓本体に給水，給湯を行うサプライ管との接続部とは別の個所から該水栓本体より前記取付基体の取付穴を挿通して突出部を下向きに突出させ、該突出部を前記挟持具の内側面の直近に位置させて、該突出部と該挟持具の内側面との当接により該水栓本体と挟持具とを回転方向に一体的に連繋したことを特徴とする。
【００１１】
請求項２のものは、請求項１において、前記突出部が前記取付穴の内側面の直近且つ周方向に隔たった少なくとも２箇所を通過するように下向きに突き出しており、該突出部が該取付穴に対する前記水栓本体の位置合わせ機能を有していることを特徴とする。
【００１２】
請求項３のものは、請求項１，２の何れかにおいて、前記突出部が複数の棒状部から成っていて、該棒状部が周方向の異なった位置において前記水栓本体から突き出しており、何れかの棒状部と他の何れかの棒状部とが、前記挟持具の内側面に対して互いに反対の回転方向においてそれぞれ当接するようになしてあることを特徴とする。
【００１３】
請求項４のものは、請求項３において、前記棒状部が前記水栓本体とは別体をなしていて上端部にねじ部が設けてあり、該ねじ部において該水栓本体に上向きにねじ込み固定してあることを特徴とする。
【００１４】
請求項５のものは、請求項１〜４の何れかにおいて、前記挟持具が馬蹄形をなしていて、前記水栓本体から且つ前記突出部に対し周方向の異なった位置から下向きに突き出した前記取付ボルトにて水栓本体と締結されるようになしてあることを特徴とする。
【００１５】
請求項６のものは、請求項５において、前記取付ボルトが前記棒状部に対して周方向の異なった位置から且つ前記取付穴の内側面の直近位置を通って前記水栓本体より突き出しており、該取付ボルトが、前記複数の棒状部からなる突出部と協働して該水栓本体を前記取付穴に位置合わせする位置合わせ機能を有していることを特徴とする。
【００１６】
請求項７は水栓の取付方法に関するもので、カウンター等取付基体の裏面側に配した部分環状の挟持具を取付ボルトにより上向きに締め上げて、該挟持具により該取付基体を裏面側から挟み込む状態に水栓本体を該取付基体の上面に取付固定する水栓の取付方法において、前記水栓本体に給水，給湯を行うサプライ管との接続部とは別の個所から該水栓本体より前記取付基体の取付穴を挿通して突出部を下向きに突出させ、該突出部を前記挟持具の内側面の直近に位置させて、該突出部と挟持具の内側面との当接に基づいて該水栓本体と挟持具とを回転方向に一体的に連繋し、該水栓本体を該挟持具に対し回止めすることを特徴とする。
【００１７】
【作用及び発明の効果】
以上のように請求項１の水栓の取付構造は、サプライ管との接続部とは別の箇所から水栓本体より突出部を下向きに突出させて、これを取付基体の取付穴を挿通させ、そしてその突出部の挟持具の内側面への当接作用で、水栓本体と挟持具とを回転方向に一体的に連繋したもので、この取付構造によれば、水栓本体と挟持具との挟持による、取付基体に対する大きな摩擦力に基づいて、水栓本体の回転方向の固定強度を高強度となすことができ、水栓本体の回転移動を良好に防止することができる。
【００１８】
またこの取付構造では、水栓本体の回転防止をなす突出部がサプライ管の接続部とは別の箇所に設けてあるため、水栓本体に対し回転方向の力が加わった場合にも、その力が水栓本体とサプライ管との接続箇所に働いて、サプライ管の接続箇所の良好な接続状態が損われるといった問題を解決することができる。
【００１９】
本発明では、上記突出部を取付穴の内側面の直近且つ周方向に隔たった少なくとも２箇所を通過するように下向きに突出させ、その突出部に、水栓本体の取付穴に対する位置合わせ機能を持たせておくことができる（請求項２）。
このようにすれば、取付穴に合わせて水栓本体を取付基体に取付施工する際に施工ミスが起こらず、取付基体と水栓本体との間の確実なシールを確保することができる。
【００２０】
本発明においてはまた、上記突出部を複数の棒状部から成るものとして、各棒状部を周方向の異なった位置において水栓本体から突き出させ、そして何れかの棒状部と他の何れかの棒状部とが、挟持具の内側面に対し互いに反対の回転方向においてそれぞれ当接するようになしておくことができる（請求項３）。
このようにしておけば、水栓本体から下向きに突き出した突出部が、挟持具におけるサプライ管等を通すための凹所のスペースを広く塞いでしまって、サプライ管等を通すためのスペースが狭められてしまうのを防止できる利点が得られる。
【００２１】
この場合において、棒状部は水栓本体と別体としてその上端部にねじ部を設け、そのねじ部においてこれを水栓本体に上向きにねじ込み固定するようになしておくことができる（請求項４）。
このようにすることで、簡単に水栓本体から突出部としての棒状部を下向きに突出させることができる。
【００２２】
ここで上記挟持具は馬蹄形のものとなしておき、水栓本体から下向きに突き出した取付ボルトにて水栓本体と締結するようになしておくことができる（請求項５）。
【００２３】
この場合においてその取付ボルトは上記の棒状部に対し周方向の異なった位置から、取付穴の内側面の直近位置を通って水栓本体より突き出すようになしておき、その取付ボルトと複数の棒状部とが協働して水栓本体を取付穴に位置合わせするようになしておくことができる（請求項６）。
このようにすることで、より確実に水栓本体を取付穴に対し位置合わせ即ち芯合わせすることができる。
【００２４】
次に請求項７は水栓の取付方法に関するもので、この取付方法では、サプライ管との接続部とは別の箇所から水栓本体より突出部を下向きに突出させて取付基体の取付穴を挿通させ、この突出部の挟持具の内側面に対する当接作用で、水栓本体と挟持具とを回転方向に一体的に連繋するもので、このようにすることで、水栓本体を挟持具に対し回止めすることができ、これにより水栓本体と挟持具との挟持による、水栓本体及び挟持具と取付基体との摩擦力を高め得て水栓本体に回転方向の力が加わった場合にもその回転移動を良好に防止することができる。
【００２５】
【実施例】
次に本発明の実施例を図面に基づいて詳しく説明する。
図１及び図２において、１０は本例のシングルレバー式の水栓で、１２は水栓本体、１４は水栓本体１２から前方斜め上向きに延び出した吐水管で、先端に吐水口１６が下向きに形成されている。
【００２６】
また水栓本体１２の吐水管１４とは反対側の後部には、洗面器等水槽底部のポップアップ式の排水栓を開閉操作するための引棒１８が、水栓本体１２を貫通する状態で設けられている。
【００２７】
一方水栓本体１２の上部には、主弁操作部としてのレバーハンドル２０がキャップ２２とともに左右及び上下に回動可能に設けられている。
【００２８】
図２に示しているように、水栓本体１２の内部には固定弁体２３と可動弁体２４とを有する主弁２６が設けられており、その主弁２６に対して上記レバーハンドル２０が作動的に連結されている。
【００２９】
この例では、レバーハンドル２０を左右回動操作することで吐水口１６からの吐水の温度調節が行われ、また上下回動操作することで吐水口１６からの吐水と止水、更に流量調節が行われる。
【００３０】
図１において、２８は水栓本体１２に対して水，湯をぞれぞれ供給するサプライ管で、各下端部が止水栓３０を介して給水元管３２及び給湯元管３４にそれぞれ接続されている。
【００３１】
このサプライ管２８は、実質的にその全体が可撓性のホースから成っており、その上端部には図２に示しているように管状の金属製の接続金具３６が固定されていて、この接続金具３６において水栓本体１０に水密に接続されている。
詳しくはこれら接続金具３６が図５にも示しているように水栓本体１２に形成された雌ねじ孔３８にねじ結合されて、各サプライ管２８が水栓本体１２に接続されている。
【００３２】
水栓本体１２の下端部には台座４０が設けられており、図２に示しているようにこの台座４０と、カウンター等取付基体４４の裏面側に配した馬蹄形状（部分環状）をなす挟持具４２とが取付基体４４を表裏両側から挟み込む状態に、水栓１０が取付穴４６において取付基体４４に取付固定されている。
【００３３】
詳しくは、これら図１及び図２に示しているように水栓本体１２からは取付ボルト４８が下向きに突き出していて、その取付ボルト４８が、挟持具４２の挿通孔５０を突き抜けて下向きに挿通し、そしてその下端部に筒状のナット５２がねじ込まれることで、挟持具４２が図中上向きに締め上げられ、その力によって水栓本体１２、詳しくはその下端の台座部４０と挟持具４２とがパッキン５４を介して取付基体４４を表裏両側から強く挟みつける状態に水栓本体１２が取付基体４４に取付固定されている。
【００３４】
尚取付ボルト４８は、図５に示しているように水栓本体１２の下部に設けられた雌ねじ孔５６にねじ込まれて、水栓本体１２に固定されている。
またこの取付ボルト４８の下端部には工具掛部５８が設けられている。
【００３５】
図６に示しているように、取付穴４６は円形を成しており、また馬蹄形を成す挟持具４２はこれに対応した形状をなしていて、図６（Ｂ）に示す凹所４５の内側面が取付穴４６の形状に沿った湾曲形状をなしている。
ここで挟持具４０は、図１及び図４に示しているように開口部６０が後方向きとなるように配向されている。そしてその前部に上記取付ボルト４８を挿通するための挿通孔５０が設けられている。
【００３６】
上記取付ボルト４８は、図６（Ａ）に示すように取付穴４６の内側面直近を通る位置において、水栓本体１２から下向きに突き出している。
【００３７】
水栓本体１２からはまた一対の芯出棒（棒状部）６２が下向きに突き出している。
これら一対の芯出棒６２は、図２，図３及び図６に示しているようにサプライ管２８の水栓本体１２への接続部とは別の個所から且つ取付穴４６及び挟持具４２における凹所４６の内側面の直近を通る位置において水栓本体１２から突き出しており、図６（Ａ）に示しているようにそれら一対の芯出棒６２と取付ボルト４８とが三角形の頂点をなす位置に配置されている。
【００３８】
ここで一対の芯出棒６２は、それぞれ水栓本体１２とは別体に構成されていて、図４及び図５にも示しているようにその上端部に形成された雄ねじ部が水栓本体１２の雌ねじ孔６４にねじ込まれ、以て水栓本体１２に固定されている。
尚これら一対の芯出棒６２の下端部には、平坦な切り落とし形状の工具掛部６６が設けられている。
【００３９】
本例においてこれら一対の芯出棒６２は、水栓本体１２から下向きに突出する本発明の突出部を構成するものである。
而してこれら一対の芯出棒６２は、図６（Ｂ）に示しているように挟持具４２の内側面４６への当接作用によって、水栓本体１２と挟持具４２とを回転方向に一体化する働きを成す。
【００４０】
即ち吐水管１４やレバーハンドル２０に対し回転方向の力が加わったとき、それら芯出棒６２が挟持具４２の内側面４６に当接することによって、水栓本体１２の挟持具４２に対する相対回転を防止する。
【００４１】
本例において、一対の芯出棒６２はその一方が正方向の回転に対してこれを防止する働きをなし、また他方の芯出棒６２は逆方向の回転を防止する働きを成す。即ちこれら一対の芯出棒６２は、それらが協働して水栓本体１２と挟持具４２との互いに反対向きの正逆両方向の回転を防止する働きを成す。
【００４２】
而してこのように一対の芯出棒６２によって水栓本体１２と挟持具４２とが相対回転防止されることによって、水栓本体１２自体の取付基体４４周りの回転運動が良好に防止される。
【００４３】
水栓本体１２が取付基体４４上で回転運動するためには、詳しくは取付ボルト４８周りに回転運動するためには、挟持具４２もともに回転運動しなければならないが、水栓本体１２、具体的にはその下端の台座４０と挟持具４２とがパッキン５４を介して取付基体４４を表裏両側から強く挟み込んでいるため、それらの間に大きな摩擦力が生じており、このため水栓本体１２はその摩擦力に基づいて取付基体４４上で良好に回転防止されるのである。
【００４４】
この例の一対の芯出棒６２はまた、水栓１０を取付穴４６において取付基体４４に取り付ける際、取付ボルト４８と協働して水栓本体１２を取付穴４６に正しく位置合せする働きもなす。
即ち取付ボルト４８と一対の芯出棒６２とを取付穴４６に下向きに挿通させることで、水栓本体１２が取付穴４６に自動的に正しく位置合せされる。
そしてそのような正確な位置合せ状態の下で、水栓１０が挟持具４２と取付ボルト４８及びナット５２とにより取付基体４４に強固に取付固定される。
【００４５】
以上の本例の水栓の取付構造によれば、水栓本体１２と挟持具４２との挟持による、取付基体４４に対する大きな摩擦力に基づいて、水栓本体１２の回転方向の固定強度を高強度となすことができ、水栓本体の回転ずれを良好に防止することができる。
【００４６】
また本例の取付構造では、水栓本体１２の回転防止をなす芯出棒６２がサプライ管２８の接続部とは別の箇所に設けてあるため、水栓本体１２に対し回転方向の力が加わった場合にも、その力が水栓本体１２とサプライ管２８との接続箇所に働いて、サプライ管２８の接続箇所の良好な接続状態が損われるといった問題も生じない。
【００４７】
また本例では一対の芯出棒６２及び取付ボルト４８が位置合わせ機能を有しているため、取付穴４６に合わせて水栓本体１２を取付基体４４に取付施工する際に施工ミスが起こらず、取付基体４４と水栓本体１２との間の確実なシールを確保することができる。
【００４８】
本例ではまた、回転規制及び位置合せを行うための突出部が２本の芯出棒６２にて構成してあるため、突出部が挟持具４２におけるサプライ管２８等を通すための凹所４５のスペースを広く塞いでしまって、サプライ管２８等を通すためのスペースが狭められてしまうといったことを防止できる利点が得られる。
【００４９】
尚、図７に示しているように挟持具４２における凹所４５の内側面から当り部６８を内向きに突出させて、その当り部６８に対し、一対の芯出棒６２を回転方向に当接させるようになすこともできる。
【００５０】
以上本発明の実施例を詳述したがこれはあくまで一例示であり、本発明は上例以外の他の種々水栓の取付けに際して適用することが可能である等、本発明はその趣旨を逸脱しない範囲において種々変更を加えた形態で構成可能である。
【図面の簡単な説明】
【図１】本発明の一実施例である水栓の取付構造を水栓の外観形状とともに示す斜視図である。
【図２】同実施例の取付構造を水栓とともに示す断面図である。
【図３】同実施例の取付構造を拡大して周辺部とともに示す斜視図である。
【図４】同実施例の取付構造を各部材に分解して示す斜視図である。
【図５】同実施例の取付構造を各部材に分解して示す断面図（一部側面図）である。
【図６】（Ａ）  図２のア−ア断面図である。
（Ｂ）  図２のイ−イ視図である。
【図７】本発明の他の実施例の要部を示す図である。
【図８】従来公知の水栓の取付構造の一例を示す図である。
【図９】従来公知の水栓の取付構造の、図８とは異なる例を示す図である。
【符号の説明】
１０  水栓
１２  水栓本体
２８  サプライ管
４２  挟持具
４４  取付基体
４６  取付穴
４８  取付ボルト
６２  芯出棒（棒状部）
６４  雌ねじ孔
【図１】
2004308213.tif 000003
【図２】
2004308213.tif 000004
【図３】
2004308213.tif 000005
【図４】
2004308213.tif 000006
【図５】
2004308213.tif 000007
【図６】
2004308213.tif 000008
【図７】
2004308213.tif 000009
【図８】
2004308213.tif 000010
【図９】
2004308213.tif 000011